(57)【要約】【課題】３種類以上の映像のうちいずれに該当するかを、視聴者が瞬時に理解することができる表示装置及びテレビジョン受信機を提供する。【解決手段】３種類以上の映像から任意の種類を選択する種類選択信号を受信して種類選択信号を出力し、選択された種類に属する一又は複数の映像から任意の映像を選択する映像選択信号を受信して映像選択信号を出力する信号受信部９より受信した所定の信号に従い、制御部２は、選択された前記映像と共に、映像の種類毎に夫々異なる部分枠線を表示部５に表示させる。【選択図】図１
2013229667.tif 000002
【特許請求の範囲】
【請求項１】
表示部と、
３種類以上の映像から任意の種類を選択する種類選択信号及び選択された種類に属する一又は複数の映像から任意の映像を選択する映像選択信号を受信して出力する信号受信部と、
該信号受信部から出力された種類選択信号及び映像選択信号を入力し、該種類選択信号及び映像選択信号に従い、選択された映像を前記表示部に表示させる制御部とを備える表示装置において、
前記表示部に、映像の種類毎に夫々異なる枠線又は部分枠線を表示するための情報を記憶している表示情報部を備え、
前記制御部は、種類選択信号によって選択される映像の種類に応じた枠線又は部分枠線を表示するための情報を前記表示情報部から読み出し、選択された映像と共に枠線又は部分枠線を表示させるよう構成してある
ことを特徴とする表示装置。
【請求項２】
前記枠線は、映像の種類毎に夫々線種、色又は模様が異なる
ことを特徴とする請求項１に記載の表示装置。
【請求項３】
前記部分枠線は、映像の種類毎に夫々形状が異なる
ことを特徴とする請求項１に記載の表示装置。
【請求項４】
テレビジョン放送を受信する受信部と、
請求項１から３のいずれか一つに記載の表示装置と
を備えることを特徴とするテレビジョン受信機。
【発明の詳細な説明】
【技術分野】
【０００１】
本発明は、表示装置及びテレビジョン受信機に関する。
【背景技術】
【０００２】
放送されている映像、録画されている映像及びＶＯＤ（video on demand）の映像等、３種類以上の映像を表示することができる表示装置には、映像の題名又は内容等が示された文字情報の他、夫々の映像のサムネイル又はプレビュー映像等の映像情報が並んだメニュー画面を表示するものがある。こうした表示装置は、視聴者がメニュー画面を見ながら遠隔制御装置によって特定の映像を選択することにより、映像が画面全体に表示される。
【０００３】
視聴者は映像の種類に応じて、異なる操作を行う。即ち、放送されている映像は、録画されている映像とは異なり、早送り又は巻き戻し等を行うことができず、録画されている映像は、放送されている映像とは異なり、データ放送に基づく映像を表示することができない。また、ＶＯＤの映像は、映像を視聴するために購入手続を行わなければならない。しかし、表示された映像が如何なる種類の映像であるかを視聴者が忘れることがあり、この場合、視聴者は表示された映像に不適切な操作を行う、又は映像を視聴することができない等の問題があった。
【０００４】
こうした問題を解決するために、特許文献１には、視聴者が映像の種類を理解できるよう、映像の種類を文字によって表示する映像表示装置が記載されている。
【先行技術文献】
【特許文献】
【０００５】
【特許文献１】特開２００７−１５６４０８号公報
【発明の概要】
【発明が解決しようとする課題】
【０００６】
しかし、特許文献１に記載の映像表示装置には、表示された文字によって映像を遮るという問題があった。
【０００７】
本発明は斯かる問題点に基づいてなされたものであり、映像の種類毎に夫々異なる枠線又は部分枠線を表示部に表示させることにより、映像を遮ることなく映像の種類を視聴者に理解させることができる表示装置及びテレビジョン受信機を提供することを目的とする。
【課題を解決するための手段】
【０００８】
本発明の表示装置は、表示部と、３種類以上の映像から任意の種類を選択する種類選択信号及び選択された種類に属する一又は複数の映像から任意の映像を選択する映像選択信号を受信して出力する信号受信部と、該信号受信部から出力された種類選択信号及び映像選択信号を入力し、該種類選択信号及び映像選択信号に従い、選択された映像を前記表示部に表示させる制御部とを備える表示装置において、前記表示部に、映像の種類毎に夫々異なる枠線又は部分枠線を表示するための情報を記憶している表示情報部を備え、前記制御部は、種類選択信号によって選択される映像の種類に応じた枠線又は部分枠線を表示するための情報を前記表示情報部から読み出し、選択された映像と共に枠線又は部分枠線を表示させるよう構成してあることを特徴とする。
【０００９】
本発明によれば、制御部が、種類選択信号によって選択される映像の種類に応じた枠線又は部分枠線を表示するための情報を表示情報部から読み出し、選択された映像と共に枠線又は部分枠線を表示させるので、映像を遮ることなく映像の種類を表示することができる。
【００１０】
本発明は、前記枠線は、映像の種類毎に夫々線種、色又は模様が異なることを特徴とする。
【００１１】
本発明によれば、視聴者は、映像の種類毎に夫々線種、色又は模様が異なる枠線によって映像の種類を瞬時に理解することができる。
【００１２】
本発明は、前記部分枠線は、映像の種類毎に夫々形状が異なることを特徴とする。
【００１３】
本発明によれば、視聴者は、映像の種類毎に夫々形状が異なる部分枠線によって映像の種類を瞬時に理解することができる。
【００１４】
本発明は、テレビジョン放送を受信する受信部と、上述の表示装置とを備えることを特徴とする。
【００１５】
本発明によれば、映像の種類にテレビジョン放送の映像が含まれ、テレビジョン放送の映像であることを枠線又は部分枠線によって表示することができる。
【発明の効果】
【００１６】
本発明によれば  制御部が、選択された映像と共に、映像の種類毎に夫々異なる枠線又は部分枠線を表示部に表示させるので、映像を遮ることなく映像の種類を視聴者が理解することができる。
【図面の簡単な説明】
【００１７】
【図１】本実施の形態におけるテレビジョン受信機を示すブロック図である。
【図２】メニュー画面を示す模式図である。
【図３】表示部に表示される映像の部分枠線を示す模式図である。
【図４】制御部の処理を示すフローチャートである。
【図５】部分枠線の他の例を示す模式図である。
【発明を実施するための形態】
【００１８】
本発明の実施の形態を説明する。図１は、本実施の形態におけるテレビジョン受信機を示すブロック図である。本実施の形態におけるテレビジョン受信機は、チューナ１１にて受信したテレビジョン放送に基づいて、表示装置の表示部５に映像を表示するようにしたものである。本実施の形態に係る表示装置は、映像データを記憶するＨＤＤ（Hard Disk Drive）、及びインターネット通信を行うＬＡＮ（Local Area Network）ケーブルが接続されるＬＡＮポートを備える。
【００１９】
チューナ１１は、外部の放送波受信アンテナ１からテレビジョン放送を受信し、該テレビジョン放送を、チャンネル毎の映像信号及び番組情報信号に分離する。番組情報は番組表及び番組の題名、内容及び出演者等を示す情報である。チューナ１１は、チャンネル毎に分離した信号と、番組情報信号とを復調部１２に出力する。
【００２０】
復調部１２は、チャンネル毎に分離された信号をＭＰＥＧ２（Moving Picture Experts Group）−ＴＳ（Transport Stream）又はＭＰＥＧ４等のストリームデータに復調して復号部１３へ出力する。また、復調部１２は、復調処理と併せてチャンネル毎に分離された信号に誤り訂正処理を行う。
【００２１】
復号部１３は、受信したストリームデータを復号する。復号部１３は、復号されたデータのうち映像データを例えば液晶ディスプレイである表示部５に出力し、番組情報データを付加映像記録部３に出力する。
【００２２】
制御部２は、ＣＰＵ（Central Processing Unit）又はＭＰＵ（Micro Processing Unit）等で構成されており、ＲＯＭ（Read Only Memory）６に予め格納されている制御プログラムを適宜ＲＡＭ（Random Access Memory）７に読み出して、付加映像記録部３、ネットワークＩ／Ｆ４、表示部５、ＲＯＭ６、ＲＡＭ７、番組映像記録部８、チューナ１１、復調部１２、復号部１３の動作を制御する。ＲＯＭ６は、ＥＥＲＯＭ（electrically erasable ROM）又はフラッシュメモリ等で構成され、表示装置が動作するために必要な種々の制御プログラムを予め格納してある。ＲＡＭ７はＳＲＡＭ(Static RAM)又はフラッシュメモリ等であり、制御部２による制御プログラムの実行時に発生する種々のデータを一時的に記憶する。
【００２３】
付加映像記録部３は、番組情報データに基づく番組情報又はチャンネル番号等を表示させるための情報、及び後述する枠線及び部分枠線等の付加映像の情報を記憶してある。付加映像記録部３に記憶されている付加映像の情報は、制御部２が読み出しを行い、表示部５に出力する。
【００２４】
図において４はネットワークＩ／Ｆ（Interface）であり、各種情報及びＭＰＥＧ２―ＴＳ形式のストリームデータを、ＬＡＮポートに接続されたＬＡＮケーブルにより外部のネットワークＮを介して受信する。ネットワークＩ／Ｆ４は復号部を備え、受信したストリームデータを復号する。ネットワークＩ／Ｆ４は、復号した映像データを表示部５に出力する。
【００２５】
テレビジョン放送及びインターネットを介した映像データと、テレビジョン放送の番組情報映像データとは、制御部２から録画を設定する信号を復号部１３又はネットワークＩ／Ｆ４に出力することにより、ＨＤＤを用いてなる番組映像記録部８に記憶される。番組映像記録部８に記憶されている映像データ及び番組情報は、制御部２が読み出しを行い、表示部５に出力する。
【００２６】
図において９０は遠隔制御装置であり、１〜１２の数字、上下左右、「決定」、「メニュー画面」等のボタンが設けられており、押下することにより、対応する赤外線の遠隔制御信号を、フォトセンサを用いてなる信号受信部９に送信する。該信号受信部９は受信した赤外線の遠隔制御信号を光電変換し、制御部２に出力する。制御部２は、入力した遠隔制御信号に従い、チャンネルの変更、表示画面における選択箇所の移動及び選択事項の決定等の動作を行うよう各部に指示信号を出力する。
【００２７】
図２はメニュー画面を示す模式図である。制御部２は、遠隔制御装置９０の「メニュー画面」ボタンが押下されることにより入力された遠隔制御信号により、付加映像記録部３よりメニュー画面の情報を読み出し、表示部５にメニュー画面を表示させる。メニュー画面は縦方向に３つの領域に分割されており、各領域の外周に枠線が設けられており、夫々の領域は枠線により外周が縁どりされている。
【００２８】
分割された各領域は、映像の種類毎に上から録画番組、放送番組、ＶＯＤ映像の３種類の映像情報の一覧が夫々表示されている。上段の録画番組の領域には、制御部２が番組映像記録部８から読み出した録画番組のサムネイルが並置されている。中段の放送番組は、復号部１３から出力された文字による番組情報が、放送中の全てのチャンネルについて表示されている。下段のＶＯＤ映像の領域には、ネットワークＩ／Ｆ４が接続している配信業者のサイトより受信した、視聴時における最新の映像又は配信業者が推薦する映像等のサムネイルが並置されている。
【００２９】
メニュー画面は、表示が開始された時点では、録画番組の領域が選択されている、即ち録画番組の領域の枠線が、他の領域の枠線と比較して太枠になっている。遠隔制御装置９０の上下を選択するボタンが押下されることにより、信号受信部９を介して、種類選択信号である制御部２に上下を選択する遠隔制御信号が入力される。これにより、制御部２は、別の領域の枠線を太枠にする。
【００３０】
また、太枠になった領域内で並置されている映像の情報は、最も左にある映像の情報の外枠が他の映像情報と比較して太枠になっている。遠隔制御装置９０の左右を選択するボタンが押下されることにより、信号受信部９を介して、映像選択信号である遠隔制御信号が制御部２に入力される。斯かる遠隔制御信号に従い、制御部２は、別の映像情報を太枠にする。ここで、左右を選択する遠隔制御信号を入力することにより、制御部２は、メニュー画面を左右にスクロールさせる。これにより、制御部２は、メニュー画面の開始時に表示されていない映像の情報を表示部５に表示させることができる。
【００３１】
遠隔制御装置９０の「決定」ボタンが押下されることにより入力された遠隔制御信号に従い、制御部２は、太枠になっている映像情報に対応する映像を表示するよう決定する。これにより、制御部２は、決定された映像を全画面表示にし、表示を開始する。
【００３２】
表示するよう決定された映像が録画番組の映像である場合は、制御部２は番組映像記録部８に映像の読出しを指示する信号を出力し、番組映像記録部８に対応する映像データを読み出させ、映像を表示部５に表示させる。表示するよう決定された映像が放送番組の映像である場合は、表示するよう決定された映像に該当するチャンネルを示す信号をチューナ１１に出力し、復号部１３で復号された映像を表示部５に表示させる。表示するよう決定された映像がＶＯＤ映像である場合は、ＶＯＤ映像を視聴するための購入手続き画面を表示させる。
【００３３】
また、映像が選択された後、制御部２は、表示するよう決定する遠隔制御信号が入力された場合には、上下を選択する遠隔制御信号の入力回数に基づいて、選択された種類に対応する部分枠線の情報を付加映像記録部３から読み出し、表示部５に出力して表示させる。
【００３４】
図３は、表示部５に表示される映像の部分枠線を示す模式図である。図３Ａで示すように、録画番組を表示するよう決定された場合は、メニュー画面で上段に在ったことを示すべく、上側及び左右両側に部分枠線が表示される。図３Ｂで示すように、放送番組を表示するよう決定された場合は、メニュー画面で中段に在ったことを示すべく、左右両側方のみに部分枠線が表示される。図３Ｃで示すように、ＶＯＤ映像を表示するよう決定された場合は、メニュー画面で下段に在ったことを示すべく、下側及び左右両側に部分枠線が表示される。
【００３５】
加えて、映像の表示開始後にも、遠隔制御装置９０の１〜１２の数字、又は左右を選択するボタンが押下されることにより、制御部２は、入力された遠隔制御信号に従って表示される映像を変更する。例えば右を選択する遠隔制御信号を制御部２が入力した場合は、メニュー画面において、選択されている映像の右に配置されていた映像の表示を開始する。また、数字が入力された場合は、録画映像及びＶＯＤ映像は、各映像に予め番号が割り当てられている場合は、入力された数字に対応する番号の映像の表示を開始する。放送の映像である場合は、入力された数字に対応するチャンネルの映像の表示を開始する。この場合にも、制御部２は映像と共に部分枠線を表示部５に表示させる。
【００３６】
上述のような制御を行う制御部２の処理を説明する。図４は制御部２の処理を示すフローチャートである。制御部２は待機状態であり、遠隔制御装置９０のメニュー画面を選択するボタンが押下された場合に入力されるメニュー画面を選択する遠隔制御信号が、入力されたか否かを判定する（Ｓ１１）。入力されなかった場合は（Ｓ１１でＮＯ）、待機状態を継続する（Ｓ１１に戻す）。
【００３７】
メニュー画面を選択する遠隔制御信号が入力された場合は、制御部２は、メニュー画面を表示する（Ｓ１２）。制御部２は、遠隔制御装置９０の上下を選択するボタンが押下された場合に入力される上下を選択する遠隔制御信号が、入力されたか否かを判定する（Ｓ１３）。入力された場合には（Ｓ１３でＹＥＳ）、制御部２は、上下を選択する遠隔制御信号に従って別の領域の枠線を太枠にする（Ｓ１４）。
【００３８】
別の領域の枠線を太枠にした場合、及び上下を選択する遠隔制御信号が入力されなかった場合（Ｓ１３でＮＯ）、制御部２は、遠隔制御装置９０の左右を選択するボタンが押下された場合に入力される、左右を選択する遠隔制御信号が入力されたか否かを判定する（Ｓ１５）。入力された場合には（Ｓ１５でＹＥＳ）、制御部２は、左右を選択する遠隔制御信号に従って別の映像情報の枠線を太枠にする（Ｓ１６）。
【００３９】
別の映像情報の枠線を太枠にした場合、及び左右を選択する遠隔制御信号が入力されなかった場合（Ｓ１５でＮＯ）、制御部２は、「決定」の遠隔制御信号が入力されたか否かを判定する（Ｓ１７）。「決定」の遠隔制御信号が入力されなかった場合は（Ｓ１７でＮＯ）、再度上下を選択する遠隔制御信号が、入力されたか否かを判定する（Ｓ１３に戻す）。
【００４０】
「決定」の遠隔制御信号が入力された場合は（Ｓ１７でＹＥＳ）、選択された映像を全画面表示にし（Ｓ１８）、映像の表示を開始する（Ｓ１９）。
【００４１】
また、制御部２は、付加映像部３に映像の属する領域に対応する部分枠線を読み出す（Ｓ２０）。制御部２は、付加映像部３から読み出した映像の属する領域に対応する部分枠線を、選択した全画面に表示された映像と共に表示部５に表示させ（Ｓ２１）、処理を終了する。
【００４２】
本実施の形態によれば、映像の種類に対応した枠線を表示するので、映像を遮ることなく映像の種類を表示することができる。
【００４３】
制御部２は、部分枠線の代わりに全周に亘った枠線を映像と共に表示部５に表示させるようにしてもよい。この場合、枠線は破線又は波線等、映像の種類毎に線種が異なるようにするほか、映像の種類毎に色又は模様が異なるように表示させるようにしてもよい。又、この場合は、メニュー画面における各領域の背景を映像の種類毎に色分けし、該背景の色と枠線の色とを同じ色にするようにしてもよい。
【００４４】
部分枠線は、メニュー画面で上段、中段、下段のいずれにある映像であるかを全画面表示の際に容易に理解することができればよい。図５は部分枠線の他の例を示す模式図である。制御部２は、上段の種類に属する映像は、上方のみの部分枠線を表示させ、中段の種類に属する映像は、両側部のみの部分枠線を表示させ、下段の種類に属する映像は、下方のみの部分枠線を表示させるようにしてもよい。
【００４５】
映像の種類は他にも、例えば外部の映像機器が再生する映像を含んでもよい。又、今後の放送予定が示された番組表を表示してもよく、この場合、表示された番組情報を選択することにより、制御部は部分枠線と共に視聴予約手続を示す映像を表示部５に表示させる。
【００４６】
また、メニュー画面は種類毎に横に３分割され、映像情報が縦に並ぶように構成されていてもよい。その他、映像が４種類の場合には、縦２分割、横２分割になるようにしてもよい。
【００４７】
制御部２は、例えば１０秒等部分枠線の表示開始から一定時間経過後に、部分枠線の表示を停止するようにしてもよい。これにより、視聴者は部分枠線を気にすることなく、快適に視聴することができる。
【００４８】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４９】
１  アンテナ
２  制御部
３  付加映像記録部
４  ネットワークＩ／Ｆ
５  表示部
６  ＲＯＭ
７  ＲＡＭ
８  番組映像記録部
９  信号受信部
１１  チューナ
１２  復調部
１３  復号部
９０  遠隔制御装置
【図１】
2013229667.tif 000003
【図２】
2013229667.tif 000004
【図３】
2013229667.tif 000005
【図４】
2013229667.tif 000006
【図５】
2013229667.tif 000007